(57)【特許請求の範囲】
【請求項１】
同軸シリンジスプレーアッセンブリであって、
前記アッセンブリによって画定される第１の受容部と、
前記アッセンブリによって画定される第２の受容部であって、前記第２の受容部は、前記第１の受容部と同軸に整合している、第２の受容部と、
前記第１の受容部と前記第２の受容部の両方に流体連通するように構成されているスプレー先端部アッセンブリであって、
前記第１の受容部に流体連通する第１の流体チャンバーと、
前記第１の受容部に流体連通する第２の流体チャンバーと、
ブレンドチャンバーを画定する出口部ポートであって、前記ブレンドチャンバーは、前記第２の受容部、前記第１の流体チャンバー、および前記第２の流体チャンバーに流体連通しており、前記第１の流体チャンバーの中へ導入される第１の流体と、前記第２の流体チャンバーの中へ導入される第２の流体とが、前記ブレンドチャンバーの中で混合され、らせん流パターンを有する混合物を提供するようになっており、前記出口部ポートは、前記混合物に、前記スプレー先端部を出ていくための出口部を提供する、出口部ポートと
を画定する、スプレー先端部アッセンブリと
を含み、
前記第１の流体チャンバーおよび前記第２の流体チャンバーのそれぞれが、前記ブレンドチャンバーから延在する第１の部分と、前記第１の部分に対してほぼ直角に延在する第２の部分と、前記第２の部分に対してほぼ直角に延在する第３の部分とを含む、同軸シリンジスプレーアッセンブリ。
【請求項２】
前記第２の受容部が、前記アッセンブリの長手方向軸線に沿って延在しており、前記第１の受容部が、前記第２の受容部を取り囲んでいる、請求項１に記載の同軸シリンジスプレーアッセンブリ。
【請求項３】
前記第２の受容部が、前記同軸シリンジスプレーアッセンブリの外側本体部の中に装着されている中央チューブの内側チューブ表面によって画定されており、
前記第１の受容部が、前記外側本体部の内側側壁部と前記中央チューブの外側チューブ表面との間に画定されており、前記中央チューブが、前記同軸シリンジスプレーアッセンブリの長手方向軸線に沿って整合させられている、請求項１に記載の同軸シリンジスプレーアッセンブリ。
【請求項４】
前記スプレー先端部アッセンブリが、ハウジングと、前記ハウジングの中に装着されるインサートとを含み、
前記第１の流体チャンバー、前記第２の流体チャンバー、および前記ブレンドチャンバーが、前記インサートに対向する前記ハウジングの第１の表面に画定されている、請求項１に記載の同軸シリンジスプレーアッセンブリ。
【請求項５】
前記ハウジングが、前記第１の表面の反対側にある第２の表面を含み、
前記出口部ポートが、前記第２の表面において円錐形部分を含み、前記円錐形部分が、前記出口部ポートを出ていくときに、前記混合物をスプレーとして提供するように構成されている、請求項４に記載の同軸シリンジスプレーアッセンブリ。
【請求項６】
前記ブレンドチャンバーが、前記第１の流体チャンバーと前記第２の流体チャンバーとの間にある、請求項１に記載の同軸シリンジスプレーアッセンブリ。
【請求項７】
前記第１の受容部の中に着座させられている第１のプランジャーと、前記第２の受容部の中に着座させられている第２のプランジャーとをさらに含む、請求項１に記載の同軸シリンジスプレーアッセンブリ。
【請求項８】
前記外側本体部が、本体アダプターを含み、前記本体アダプターが、第１の端部と、前記第１の端部の反対側にある第２の端部とを有しており、前記中央チューブが、前記第１の端部に装着されており、前記スプレー先端部アッセンブリが、前記第２の端部に装着されている、請求項３に記載の同軸シリンジスプレーアッセンブリ。
【請求項９】
前記本体アダプターが、前記第２の受容部と前記ブレンドチャンバーの両方に流体連通する中心孔を含み、
前記本体アダプターが、前記中心孔の周りに間隔を置いて配置された複数の開口部を含み、前記開口部が、前記第１の受容部と、前記第１の流体チャンバーおよび前記第２の流体チャンバーのそれぞれとの間に、流体連通を提供している、請求項８に記載の同軸シリンジスプレーアッセンブリ。
【請求項１０】
同軸シリンジスプレーアッセンブリであって、
前記アッセンブリによって画定され、第１の流体を含有するように構成されている第１の受容部と、
前記アッセンブリによって画定される第２の受容部であって、前記第２の受容部は、前記第１の受容部と同軸に整合し、第２の流体を含有するように構成されている、第２の受容部と、
前記第１の受容部および前記第２の受容部に流体連通するように構成されているスプレー先端部アッセンブリであって、
前記第１の受容部と前記第２の受容部の両方に流体連通するブレンドチャンバーと、
前記第１の受容部に流体連通し、前記ブレンドチャンバーの第１の部分に接続されている第１の流体チャンバーと、
前記第１の受容部に流体連通し、前記ブレンドチャンバーの第２の部分に接続されている第２の流体チャンバーであって、前記ブレンドチャンバーの第２の部分は、前記ブレンドチャンバーの前記第１の部分の反対側にあり、前記第１の流体チャンバーから前記ブレンドチャンバーに進入する前記第１の流体が、前記第２の流体チャンバーから前記ブレンドチャンバーに進入する前記第１の流体に対向する方向に進行するようになっており、前記第１の流体および前記第２の流体は、前記ブレンドチャンバーの中で混合され、らせん流パターンを有する混合物を提供する、第２の流体チャンバーと、
前記ブレンドチャンバーを画定する出口部ポートであって、前記出口部ポートは、前記混合物が前記スプレー先端部を出ていくための出口部を含む、出口部ポートと
を画定する、スプレー先端部アッセンブリと
を含み、
前記第１の流体チャンバーおよび前記第２の流体チャンバーのそれぞれが、前記ブレンドチャンバーから延在する第１の部分と、前記第１の部分に対してほぼ直角に延在する第２の部分と、前記第２の部分に対してほぼ直角に延在する第３の部分とを含む、同軸シリンジスプレーアッセンブリ。
【請求項１１】
前記第１の流体チャンバーおよび前記第２の流体チャンバーのそれぞれが、前記ブレンドチャンバーにおいて最も狭くなっている、請求項１０に記載の同軸シリンジスプレーアッセンブリ。
【請求項１２】
前記スプレー先端部アッセンブリが、インサートを含み、前記インサートが、前記第１の受容部から、前記第１の流体チャンバーおよび前記第２の流体チャンバーのそれぞれの前記第３の部分へ、前記第１の流体を方向付けする、請求項１０に記載の同軸シリンジスプレーアッセンブリ。
【請求項１３】
前記スプレー先端部アッセンブリが、前記第２の受容部に流体連通する中央開口部を画定するボスを含み、前記ボスが、前記ブレンドチャンバーの中に着座させられており、前記第１の流体チャンバーから前記ブレンドチャンバーに進入する前記第１の流体と、前記第２の流体チャンバーから前記ブレンドチャンバーに進入する前記第１の流体とが、少なくとも最初は、前記ボスの周りに反対方向に進行するようになっている、請求項１０に記載の同軸シリンジスプレーアッセンブリ。
【請求項１４】
血液と凝固血清とを混合するように構成されている同軸シリンジスプレーアッセンブリであって、
前記アッセンブリによって画定され、前記血液を含有するように構成されている第１の受容部と、
前記アッセンブリによって画定される第２の受容部であって、前記第２の受容部は、前記第１の受容部と同軸に整合し、前記第１の受容部によって取り囲まれており、前記第２の受容部は、前記凝固血清を含有するように構成されている、第２の受容部と、
前記第１の受容部および前記第２の受容部に流体連通するように構成されているスプレー先端部アッセンブリであって、
ブレンドチャンバーと、
前記第２の受容部から前記ブレンドチャンバーへ前記凝固血清を運搬するように構成されている第１の導管であって、前記第１の導管は、前記ブレンドチャンバーの中に延在するボスによって部分的に画定されている、第１の導管と、
前記第１の受容部から前記ブレンドチャンバーの第１の部分へ前記血液を運搬するように構成されている第２の導管と、
前記第１の受容部から前記ブレンドチャンバーの第２の部分へ前記血液を運搬するように構成されている第３の導管であって、前記ブレンドチャンバーの第２の部分は、前記第１の部分の反対側にあり、前記第２の導管からの血液と、前記第３の導管からの血液とが、前記ブレンドチャンバーの中へ反対方向に流れ込むようになっており、前記血液が、前記ボスの外部の周りを流れる、第３の導管と、
出口部ポートと
を含む、スプレー先端部アッセンブリとを含む、同軸シリンジスプレーアッセンブリにおいて、
前記凝固血清と前記血液とが、前記ブレンドチャンバーの中で混合され、前記出口部ポートにおいて、前記スプレー先端部から出ていくときに、らせん流パターンを有する凝固混合物を提供し、
前記第２の導管が、前記ブレンドチャンバーの前記第１の部分に接続される第１の流体チャンバーを含み、
前記第３の導管が、前記ブレンドチャンバーの前記第２の部分に接続される第２の流体チャンバーを含み、
前記第１の流体チャンバーおよび前記第２の流体チャンバーのそれぞれが、前記ブレンドチャンバーに直接的に接続されている第１のチャンバー部分と、前記第１のチャンバー部分からほぼ直角に延在する第２のチャンバー部分と、前記第２のチャンバー部分からほぼ直角に延在する第３のチャンバー部分とを含む、同軸シリンジスプレーアッセンブリ。
【請求項１５】
前記第１の導管が、雄ルアーロックによって画定される中心孔を含む、請求項１４に記載の同軸シリンジスプレーアッセンブリ。
【請求項１６】
前記第１の流体チャンバーが、前記ブレンドチャンバーにおいて最も狭くなっており、前記第２の流体チャンバーが、前記ブレンドチャンバーにおいて最も狭くなっている、請求項１４に記載の同軸シリンジスプレーアッセンブリ。
【請求項１７】
前記混合物が前記出口部ポートから出ていくと、前記血液の血小板が、前記凝固血清によって活性化される、請求項１４に記載の同軸シリンジスプレーアッセンブリ。
【請求項１８】
前記第１の受容部の中の第１のプランジャーと、前記第２の受容部の中の第２のプランジャーとをさらに含む、請求項１４に記載の同軸シリンジスプレーアッセンブリ。
【発明の詳細な説明】
【技術分野】
【０００１】
[0001]本開示は、同軸シリンジのために複数の流体をブレンドするスプレー先端部に関する。
【発明の概要】
【発明が解決しようとする課題】
【０００２】
[0002]このセクションは、本開示に関連する背景情報を提供し、それは、必ずしも先行技術ではない。
[0003]様々な医療処置は、２つ以上の成分を一緒に混合すること、および、混合物を特定の場所に送達することを含む。例えば、創傷治癒を促進させるために、血液および凝固血清（ｃｌｏｔｔｉｎｇ  ｓｅｒｕｍ）の混合物が、創傷部位に送達されることが可能である。デバイスおよび方法は、送達の前に生物学的成分を混合するために存在するが、それらは改善を受けている。
【課題を解決するための手段】
【０００３】
[0004]このセクションは、本開示の全体的な概要を提供し、その完全な範囲の、または、その特徴のすべての包括的な開示ではない。
[0005]本教示は、同軸シリンジスプレーアッセンブリを提供し、同軸シリンジスプレーアッセンブリは、アッセンブリによって画定される第１の受容部と、アッセンブリによって画定され、第１の受容部と同軸に整合している第２の受容部と、第１の受容部と第２の受容部の両方に流体連通するように構成されているスプレー先端部アッセンブリとを含む。スプレー先端部は、第１の受容部に流体連通する第１の流体チャンバーと、第１の受容部に流体連通する第２の流体チャンバーと、ブレンドチャンバーを画定する出口部ポートであって、ブレンドチャンバーは、第２の受容部、第１の流体チャンバー、および第２の流体チャンバーに流体連通しており、第１の流体チャンバーの中へ導入される第１の流体と、第２の流体チャンバーの中へ導入される第２の流体とが、ブレンドチャンバーの中で混合され、らせん流パターンを有する混合物を提供するようになっている、出口部ポートとを画定する。
【０００４】
[0006]本教示は、第１の受容部と、第２の受容部と、スプレー先端部アッセンブリとを含む同軸シリンジスプレーアッセンブリをさらに提供する。第１の受容部は、アッセンブリによって画定され、第１の流体を含有する。第２の受容部は、アッセンブリによって画定され、第１の受容部と同軸に整合し、第２の流体を含有するように構成されている。スプレー先端部アッセンブリは、第１の受容部および第２の受容部に流体連通するように構成されている。スプレー先端部アッセンブリは、ブレンドチャンバーと、第１の流体チャンバーと、第２の流体チャンバーと、出口部ポートとを画定する。ブレンドチャンバーは、第１の受容部および第２の受容部に流体連通するように構成されている。第１の流体チャンバーは、第１の受容部に流体連通し、ブレンドチャンバーの第１の部分に接続されている。第２の流体チャンバーは、第１の受容部に流体連通し、ブレンドチャンバーの第２の部分に接続されており、ブレンドチャンバーの第２の部分は、ブレンドチャンバーの第１の部分の反対側にあり、第１の流体チャンバーからブレンドチャンバーに進入する第１の流体が、第２の流体チャンバーからブレンドチャンバーに進入する第１の流体に対向する方向に進行するようになっている。第１の流体および第２の流体は、ブレンドチャンバーの中で混合され、らせん流パターンを有する混合物を提供する。出口部ポートは、ブレンドチャンバーを画定し、出口部ポートは、混合物がスプレー先端部を出ていくための出口部を含む。
【０００５】
[0007]また、本教示は、血液と凝固血清とを混合するように構成されている同軸シリンジスプレーアッセンブリを提供する。アッセンブリは、第１の受容部と、第２の受容部と、スプレー先端部アッセンブリとを含む。第１の受容部は、アッセンブリによって画定され、その中に血液を含有するように構成されている。第２の受容部は、アッセンブリによって画定され、第１の受容部と同軸に整合し、第１の受容部によって取り囲まれている。第２の受容部は、その中に凝固血清を含有するように構成されている。スプレー先端部アッセンブリは、第１の受容部および第２の受容部に流体連通するように構成されている。スプレー先端部アッセンブリは、ブレンドチャンバーと、第１の導管と、第２の導管と、第３の導管と、出口部ポートとを含む。第１の導管は、第２の受容部からブレンドチャンバーへ凝固血清を運搬するように構成されている。第１の導管は、ブレンドチャンバーの中に延在するボスによって部分的に画定されている。第２の導管は、第１の受容部からブレンドチャンバーの第１の部分へ血液を運搬するように構成されている。第３の導管は、第１の受容部からブレンドチャンバーの第２の部分へ血液を運搬するように構成されており、ブレンドチャンバーの第２の部分は、第１の部分の反対側にあり、第１の導管からの血液と、第２の導管からの血液とが、ブレンドチャンバーの中へ反対方向に流れ込むようになっている。血液が、ボスの外部の周りを流れる。凝固血清と血液とが、ブレンドチャンバーの中で混合され、出口部ポートにおいて、スプレー先端部から出ていくときに、らせん流パターンを有する凝固混合物を提供する。
【０００６】
[0008]適用可能性のさらなる領域は、本明細書で提供されている説明から明らかになるであろう。この概要の中の説明および特定の例は、単に図解の目的のためのものであることが意図されており、本開示の範囲を限定することは意図されていない。
【０００７】
[0009]本明細書で説明されている図面は、単に、選択された実施形態の説明目的のためのものであり、すべての可能性のある実行例ではなく、本開示の範囲を限定することは意図されていない。
【図面の簡単な説明】
【０００８】
【図１】[0010]本教示による同軸シリンジスプレーアッセンブリの斜視図である。
【図２】[0011]図１の同軸シリンジスプレーアッセンブリの分解図である。
【図３】[0012]図１の線３−３に沿って見た、図１の同軸シリンジスプレーアッセンブリの断面図である。
【図４】[0013]図３の領域４における詳細を示す図である。
【図５】[0014]図１の同軸シリンジスプレーアッセンブリの本体アダプターの斜視図である。
【図６】[0015]本体アダプターの上面図である。
【図７】[0016]図６の線７−７に沿って見た、本体アダプターの断面図である。
【図８】[0017]図１の同軸シリンジスプレーアッセンブリのスプレー先端部アッセンブリの斜視図である。
【図９】[0018]図８のスプレー先端部アッセンブリの上面図である。
【図１０】[0019]図９の線１０−１０に沿って見た、スプレー先端部アッセンブリの断面図である。
【図１１】[0020]図８のスプレー先端部アッセンブリのスプレー先端部ハウジングの斜視図である。
【図１２】[0021]スプレー先端部ハウジングの上面図である。
【図１３】[0022]図１２の線１３−１３に沿って見た、スプレー先端部ハウジングの断面図である。
【図１４】[0023]図１２の線１４−１４に沿って見た、スプレー先端部ハウジングの断面図である。
【図１５】[0024]スプレー先端部ハウジングの底面図である。
【図１６】[0025]図１３の領域１６における詳細を示す図である。
【図１７】[0026]図８のスプレー先端部アッセンブリのスプレー先端部インサートの斜視図である。
【図１８】[0027]スプレー先端部インサートの別の斜視図である。
【図１９】[0028]スプレー先端部インサートの上面図である。
【図２０】[0029]スプレー先端部インサートの底面図である。
【図２１】[0030]図２０の線２１−２１に沿って見た断面図である。
【図２２】[0031]スプレー先端部ハウジングの上に重ねられたスプレー先端部インサートの詳細を伴う、スプレー先端部ハウジングの上面図である。
【図２３】[0032]混合物の第１の成分および第２の成分を混合およびスプレーするための同軸シリンジスプレーアッセンブリの作動の断面図である。
【図２４】[0033]スプレー先端部ハウジングの上に重ねられたスプレー先端部インサートの詳細を伴う、スプレー先端部ハウジングの上面図であり、スプレー先端部アッセンブリを通る第１の成分および第２の成分の流れを示す図である。
【発明を実施するための形態】
【０００９】
[0034]対応する参照番号は、図面の複数の図を通して、対応するパーツを指示している。
[0035]ここで、例示的な実施形態が、添付の図面を参照して、より詳細に説明されることとなる。
【００１０】
[0036]最初に図１〜図４を参照すると、同軸シリンジスプレーアッセンブリが、参照番号１０により、全体的に図示されている。スプレーアッセンブリ１０は、概して、外側本体部１２と、外側プランジャー１４と、内側プランジャー１６と、外側プランジャー１４と内側プランジャー１６との間の中央チューブ１８と、中央チューブ１８を支持するための本体アダプター２０と、本体アダプター２０に取り外し可能に装着されるように構成されているスプレー先端部アッセンブリ２２とを含む。
【００１１】
[0037]外側本体部１２は、第１の外側本体部端部２４と、第１の外側本体部端部２４の反対側にある第２の外側本体部端部２６とを含む。第１の外側本体部端部２４と第２の外側本体部端部２６との間に延在しているのは、外側側壁部２８および内側側壁部３０であり、内側側壁部３０は、外側側壁部２８に対向する側にある。内側側壁部３０は、概して円筒形状であり、ハウジング３２を画定しており、ハウジング３２は、第１および第２の外側本体部端部２４および２６において開口している。長手方向軸線Ａ（例えば、図３）は、ハウジング３２の軸線方向中心を通って、第１の外側本体部端部２４から第２の外側本体部端部２６へ延在している。第１のハンドル３４と第２のハンドル３６とは、外側側壁部２８の互いに反対側の側部から延在している。第１のハンドル３４および第２のハンドル３６は、ループ構造体としてそれぞれ図示されており、ループ構造体は、同軸シリンジスプレーアッセンブリ１０の操作を容易にするために、典型的な指を収容するのに適切なスペースを画定している。
【００１２】
[0038]外側プランジャー１４は、概して、外側プランジャーヘッド５０と、外側プランジャー先端部５２と、外側プランジャーヘッド５０と外側プランジャー先端部５２との間に延在する外側プランジャーシャフト５４とを含む。外側プランジャーヘッド５０は、第１のレバー５６を含み、第１のレバー５６は、第２のレバー５８の反対側にある。外側プランジャーヘッド５０は、第１のレバー５６と第２のレバー５８との間に、外側プランジャーヘッド凹部６０を画定している。外側プランジャーシャフト５４は、外側表面６２と内側表面６４とを含み、内側表面６４は、外側表面６２の反対側にある。外側表面６２から延在しているのは、等間隔に配置された４つのアライメント（換言すれば、整合）フィン６６である。内側表面６４は、プランジャー孔６８を画定しており、プランジャー孔６８は、外側プランジャーヘッド５０から外側プランジャー先端部５２へ延在している。例えば、図３に図示されているように、外側プランジャー先端部５２は、外側ロッキング（換言すれば、係止）タブ７０を含み、外側ロッキングタブ７０は、外側柔軟カバー７２と協働し、外側柔軟カバー７２を外側ロッキングタブ７０に固定するように構成されている。外側柔軟カバー７２は、ハウジング３２の内径に近い外径を含んでおり、外側プランジャーシャフト５４がハウジング３２の中に着座させられたときに、外側柔軟カバー７２が、内側側壁部３０に接触するようになっている。外側柔軟カバー７２は、ゴムなどのような任意の適切な材料から作製されることが可能である。
【００１３】
[0039]内側プランジャー１６は、内側ヘッド８０と、内側プランジャー先端部８２と、内側ヘッド８０と内側プランジャー先端部８２との間に延在する内側プランジャーシャフト８４とを含む。内側ヘッド８０は、概してディスク形状であり、中実であることが可能である。内側プランジャー先端部８２は、内側ロッキングタブ８５（図３）を含み、内側ロッキングタブ８５に内側柔軟カバー８６が装着されている。内側柔軟カバー８６は、ゴムなどのような任意の適切な材料から作製されることが可能である。内側プランジャーシャフト８４は、概して中実である。
【００１４】
[0040]中央チューブ１８は、一般的に、第１のチューブ端部９０と、第１のチューブ端部９０の反対側にある第２のチューブ端部９２とを含む。外側チューブ表面９４および内側チューブ表面９６が、第１のチューブ端部９０と第２のチューブ端部９２との間にそれぞれ延在している。外側チューブ表面９４は、内側チューブ表面９６の反対側にある。内側チューブ表面９６は、円筒形状であり、チューブ孔９８を画定しており、チューブ孔９８は、第１のチューブ端部９０および第２のチューブ端部９２において開口している。
【００１５】
[0041]図５〜図７を追加的に参照すると、本体アダプター２０は、第１の端部１０２と、第１の端部１０２の反対側にある第２の端部１０４と、第１の端部１０２と第２の端部１０４との間に延在する外側壁部１０６とを含む。外側壁部１０６は、一般的に、第１の端部１０２においてアダプターフランジ１０８を含む。外側壁部１０６の反対側には、内側壁部１１０（図７）があり、内側壁部１１０は、その中に複数の雌ねじ部１１２を画定している。本体アダプター２０の中心において、その長手方向軸線Ｂ（図７）に沿って整合しているのは、雄ルアーロックフィッティング１１４であり、雄ルアーロックフィッティング１１４は、テーパー付きの外側表面１１６および内側表面１１８を含む。内側表面１１８は、長手方向軸線Ｂを取り囲み、中心孔１２０を画定しており、中心孔１２０は、長手方向軸線Ｂに沿って延在している。中心孔１２０は、第１の端部１０２から第２の端部１０４へ延在しており、第１の端部１０２および第２の端部１０４のそれぞれにおいて開口している。第１の端部１０２には、環状の凹部１２２があり、環状の凹部１２２は、中心孔１２０を取り囲み、長手方向軸線Ｂに中心がある。
【００１６】
[0042]また、本体アダプター２０は、４つの本体開口部１２４Ａ−Ｄも画定しており、本体開口部１２４Ａ−Ｄは、長手方向軸線Ｂの周りに等間隔に配置されており、環状の凹部１２２が長手方向軸線Ｂと本体開口部１２４Ａ−Ｄとの間にあるように位置付けされている。本体開口部１２４Ａ−Ｄは、第１の端部１０２の中に窪んでおり、第１の端部１０２によって部分的に画定されている。本体開口部１２４Ａ−Ｄは、ベース表面１２６Ａ−Ｄをそれぞれ含んでおり、ベース表面１２６Ａ−Ｄは、本体開口部１２４Ａ−Ｄのそれぞれの中に開口部１２８Ａ−Ｄを画定している。したがって、本体開口部１２４Ａ−Ｄは、第１の端部１０２から、内側壁部１１０と雄ルアーロックフィッティング１１４との間にある本体アダプター２０の領域への通路を画定している。
【００１７】
[0043]図８〜図１０を追加的に参照すると、スプレー先端部アッセンブリ２２は、一般的に、スプレー先端部ハウジング１５０とスプレー先端部インサート１５２とを含む。図１１〜図１６をさらに追加的に参照すると、スプレー先端部ハウジング１５０は、ハウジングベース１５４を含み、ハウジングベース１５４は、第１の表面１５６と、第１の表面１５６の反対側にある第２の表面１５８とを有している。第１の表面１５６と第２の表面１５８の両方は、平面的である。
【００１８】
[0044]ハウジングベース１５４の外周部から及び第１の表面１５６から延在しているのは、円筒形状の側壁部１６０であり、側壁部１６０は、内側側壁部表面１６２と外側側壁部表面１６４とを有している。外側側壁部表面１６４は、外側側壁部表面１６４外周部の周りに延在する複数の隆起部１６６を含む。ハウジングベース１５４の第１の表面１５６において、内側側壁部表面１６２から延在しているのは、第１の位置決めタブ１６８および第２の位置決めタブ１７０である。第１の位置決めタブ１６８は、第２の位置決めタブ１７０の反対側にある。第１の位置決めタブ１６８は、第２の位置決めタブ１７０が延在するよりも小さい部分の内側側壁部表面１６２に沿って延在している。
【００１９】
[0045]ハウジングベース１５４は、第１の表面１５６から第２の表面１５８へハウジングベース１５４を通って延在する出口部ポート１７２を画定している。本明細書でさらに説明されているように、出口部ポート１７２は、一般的に、ブレンド（換言すれば、混合）チャンバーである。とりわけ図１６を参照すると、出口部ポート１７２は、第１の表面１５６に最も近い第１の円筒形状の直径部分１７４と、第１の円筒形状の直径部分１７４から第２の円筒形状の直径部分１７８へ延在するテーパー付きの部分１７６と、第２の円筒形状の直径部分１７８から第２の表面１５８へ延在する円錐形部分１８０とを含む。第２の円筒形状の直径部分１７８は、出口部ポート１７２の最小直径を有している。第２の円筒形状の直径部分１７８の小さい直径は、出力物が出口部ポート１７２を通過するときに、出力物を集中させ、出力物の圧力を上昇させる。円錐形部分１８０は、第２の直径部分１７８よりも大きい直径を有しており、本明細書でさらに説明されているように、出力物が出口部ポート１７２を出ていくときに、出力物をミストまたはスプレーへ形状付けすることを助ける。出口部ポート１７２は、ハウジングベース１５４の軸線方向中心からオフセットされており、第１の位置決めタブ１６８と第２の位置決めタブ１７０との間にあるが、ハウジングベース１５４の任意の他の適切な位置に配置されることが可能である。
【００２０】
[0046]ハウジングベース１５４は、第１の表面１５６において、窪んでいる第１の流体チャンバー２０２Ａおよび第２の流体チャンバー２０２Ｂをさらに画定している。第１の流体チャンバー２０２Ａは、一般的に、第１の部分２０４Ａと、第２の部分２０６Ａと、第３の部分２０８Ａとを含む。第２の流体チャンバー２０２Ｂは、一般的に、第１の部分２０４Ｂと、第２の部分２０６Ｂと、第３の部分２０８Ｂとを含む。第１の流体チャンバー２０２Ａおよび第２の流体チャンバー２０２Ｂは、出口部ポート１７２の互いに反対側の側部にある。
【００２１】
[0047]第１の部分２０４Ａおよび第１の部分２０４Ｂは、出口部ポート１７２の互いに反対側の側部から延在しており、第１の部分２０４Ａが、第２の位置決めタブ１７０の最も近くにあり、第１の部分２０４Ｂが、第１の位置決めタブ１６８の最も近くにある。第１の部分２０４Ａおよび第１の部分２０４Ｂのそれぞれは、出口部ポート１７２において最も幅が狭く、出口部ポート１７２から離れて延在するにつれて、幅が徐々に増加する。第２の部分２０６Ａは、第１の部分２０４Ａから延在しており、第１の部分２０４Ａに対して、約９０°配向されている。同様に、第２の部分２０６Ｂは、第１の部分２０４Ｂから、第１の部分２０４Ｂに対して約９０°で延在している。第２の部分２０６Ａは、第２の部分２０６Ｂと実質的に同様である。第３の部分２０８Ａは、第２の部分２０６Ａから、第２の部分２０６Ａに対して約９０°で延在している。同様に、第３の部分２０８Ｂは、第２の部分２０６Ｂから、第２の部分２０６Ｂに対して約９０°に延在している。第３の部分２０８Ａおよび第３の部分２０８Ｂは、互いに反対方向に延在しており、かつ、実質的に同様である。
【００２２】
[0048]ハウジングベース１５４は、概して楕円形の突出部２２０をさらに含み、突出部２２０は、ハウジングベース１５４から延在し、第１の流体チャンバー２０２Ａと、第２の流体チャンバー２０２Ｂと、出口部ポート１７２とを取り囲んでいる。本明細書でさらに説明されているように、楕円形の突出部２２０は、一般的に、超音波溶接などによって、スプレー先端部ハウジング１５０をスプレー先端部インサート１５２に溶接するための溶接表面である。
【００２３】
[0049]第２の位置決めタブ１７０の最も近くの楕円形の突出部２２０の一部分から内向きに延在しているのは、第１の流体チャンバー２０２Ａと第２の流体チャンバー２０２Ｂとの間に位置付けされている内側突出部２２２である。内側突出部２２２は、任意の適切な形状またはデザインであることが可能である。図示されているように、内側突出部２２２は、第１の直線状部分２２２Ａと第２の直線状部分２２２Ｂとを含み、第２の直線状部分２２２Ｂは、第１の直線状部分２２２Ａに平行である。第２の直線状部分２２２Ｂは、第１の直線状部分２２２Ａよりも、楕円形の突出部２２０からさらに内向きに延在している。接続部分２２２Ｃは、曲線状部分を含み、第１の直線状部分２２２Ａを第２の直線状部分２２２Ｂに接続している。第１の直線状部分２２２Ａから第２の直線状部分２２２Ｂに向かって延在しているのは、第１のタブ付き部分２２２Ｄである。第１の位置決めタブ１６８の最も近くの楕円形の突出部２２０の一部分から内向きに延在し、かつ、内側突出部２２２の反対側に延在しているのは、第２のタブ付き部分２２４である。
【００２４】
[0050]ここで、図１７〜図２１を追加的に参照して、スプレー先端部インサート１５２が説明されることとなる。スプレー先端部インサート１５２は、一般的に、インサートベース２５０とインサートステム２５２とを含む。インサートベース２５０は、第１の表面２５４と第２の表面２５６とを含み、第２の表面２５６は、第１の表面２５４の反対側にある。インサートステム２５２は、第１の表面２５４から延在している。インサートベース２５０は、概して円形であり、その外周部において、第１の切り欠き部２５８と第２の切り欠き部２６０とを含み、第２の切り欠き部２６０は、第１の切り欠き部２５８の反対側にある。第１の切り欠き部２５８は、第２の切り欠き部２６０が延在するよりも、インサートベース２５０の外周部の小さい部分にわたって延在しており、このように、第１の切り欠き部２５８は、第２の切り欠き部２６０よりも小さい。第１の切り欠き部２５８は、一般的に、第１の位置決めタブ１６８を受け入れるようにサイズ決めおよび形状付けされており、第２の切り欠き部２６０は、一般的に、第２の位置決めタブ１７０を受け入れるようにサイズ決めおよび形状付けされている。
【００２５】
[0051]インサートベース２５０は、第１の外側開口部２６２Ａと、第２の外側開口部２６２Ｂと、中央開口部２６４とを画定しており、中央開口部２６４は、一般的に、第１の外側開口部２６２Ａと第２の外側開口部２６２Ｂとの間にあるが、インサートベース２５０の軸線方向中心からオフセットされている。第１および第２の外側開口部２６２Ａおよび２６２Ｂは、一般的に、第１の切り欠き部２５８と第２の切り欠き部２６０との中間で、インサートベース２５０を横切って、互いに整合させられている。中央開口部２６４は、第１の外側開口部２６２Ａと第２の外側開口部２６２Ｂとのおおよそ中間にあり、第１の切り欠き部２５８と第２の切り欠き部２６０との間に整合させられている。中央開口部２６４は、第１の切り欠き部２５８のより近くにあり、したがって、第１の外側開口部２６２Ａと第２の外側開口部２６２Ｂとの間に延在する線からオフセットされている。第１の外側開口部２６２Ａ、第２の外側開口部２６２Ｂ、および中央開口部２６４のそれぞれは、第１の表面２５４と第２の表面２５６との間に延在している。
【００２６】
[0052]インサートベース２５０の第２の表面２５６において、中央開口部２６４をさらに画定しているのは、ボス２６６である。ボス２６６は、ハウジングベース１５４の出口部ポート１７２の第１の円筒形状の直径部分１７４の中に受け入れられるように、サイズ決めおよび形状付けされている。
【００２７】
[0053]インサートベース２５０の第２の表面２５６の中で窪んでいるのは、楕円形凹部２６８であり、楕円形凹部２６８は、第１および第２の外側開口部２６２Ａ、２６２Ｂ、ならびに、中央開口部２６４を取り囲んでいる。楕円形凹部２６８は、楕円形の突出部２２０と協働するようにサイズ決めおよび形状付けされている。楕円形凹部２６８から内向きに延在しているのは、内側凹部２７０および内側タブ２７２であり、内側凹部２７０は、内側突出部２２２を受け入れるようにサイズ決めおよび形状付けされており、内側タブ２７２は、第２のタブ付き部分２２４を受け入れるようにサイズ決めおよび形状付けされている。
【００２８】
[0054]インサートステム２５２は、インサートベース２５０の第１の表面２５４から延在しており、インサートステム２５２は、一般的に、インサートベース２５０の軸線方向中心に中心がある。インサートステム２５２は、一般的に、第１の表面２５４に近位端部２７１を含み、近位端部２７１の反対側に遠位端部２７３を含む。近位端部２７１と遠位端部２７３との間に延在しているのは、外側側壁部２７４および内側側壁部２７６であり、内側側壁部２７６は、外側側壁部２７４の反対側にある（図２）。内側側壁部２７６は、概して円筒形状であり、かつ、インサート受容部２７８を画定しており、インサート受容部２７８は、遠位端部２７３において開口している。外側側壁部２７４と内側側壁部２７６の両方は、内向きにテーパーが付いている。したがって、内側側壁部２７６およびインサート受容部２７８は、一般的に、雌ルアーロックを提供する。遠位端部２７３には、ステムフランジ２８０があり、ステムフランジ２８０は、複数のねじ部２８２を画定している。ステムフランジ２８０は、第１の凹部２８４および第２の凹部２８６を画定しており、第２の凹部２８６は、第１の凹部２８４の反対側にある。第１の凹部２８４は、一般的に、インサートベース２５０の第１の切り欠き部２５８と整合させられており、第２の凹部２８６は、一般的に、インサートベース２５０の第２の切り欠き部２６０と整合させられている。
【００２９】
[0055]例えば、図２１を参照すると、内側側壁部２７６は、中央開口部２６４において、窪んだ部分２７６Ａを含む。窪んだ部分２７６Ａは、インサート受容部２７８内から中央開口部２６４を通って出てくる材料の流れを促進させる。中央開口部２６４の上方の、および、中央開口部２６４に近い内側側壁部２７６の残部は、中央開口部２６４の約半分にわたって延在している。
【００３０】
[0056]図８〜図１０を引き続き参照し、かつ、例えば図２２を追加的に参照すると、スプレー先端部アッセンブリ２２の組み立てが、ここで説明されることとなる。インサートベース２５０は、スプレー先端部ハウジング１５０の円筒形状の側壁部１６０の中に着座させられ、インサートベース２５０の第２の表面２５６が、スプレー先端部ハウジング１５０のハウジングベース１５４の上に着座させられるようになっている。図２２に図示されているように、インサートベース２５０は、インサートベース２５０の第１の切り欠き部２５８および第２の切り欠き部２６０が、第１の位置決めタブ１６８および第２の位置決めタブ１７０をそれぞれ受け入れるように配向されている。インサートベース２５０のボス２６６は、スプレー先端部ハウジング１５０の出口部ポート１７２の中に着座させられる。インサートベース２５０の第１の外側開口部２６２Ａは、スプレー先端部ハウジング１５０の第１の流体チャンバー２０２Ａの第３の部分２０８Ａに整合させられる。インサートベース２５０の第２の外側開口部２６２Ｂは、先端部スプレーハウジング１５０の第２の流体チャンバー２０２Ｂの第３の部分２０８Ｂに整合させられる。スプレー先端部ハウジング１５０の概して楕円形の突出部２２０、内側突出部２２２、および、第２のタブ付き部分２２４は、それぞれ、インサートベース２５０の楕円形凹部２６８、内側凹部２７０、および、内側タブ２７２にそれぞれ受け入れられる。次いで、インサートベース２５０は、超音波溶接などのような任意の適切な様式で、スプレー先端部ハウジング１５０に固着される。
【００３１】
[0057]例えば、図４および図１０を参照すると、スプレー先端部アッセンブリ２２は、ワッシャー２９０をさらに含むことが可能であり、ワッシャー２９０は、スプレー先端部インサート１５２の第１の表面２５４の上に、および、スプレー先端部ハウジング１５０の内側側壁部表面１６２に沿って着座させられる。ワッシャー２９０は、インサートステム２５２から間隔を置いて配置されている。ワッシャー２９０は、ポリマーのリングワッシャーなどのような、任意の適切なワッシャーであることが可能である。ワッシャー２９０は、スプレー先端部アッセンブリ２２と本体アダプター２０との間にシールを提供することに貢献する。
【００３２】
[0058]例えば、図１〜図４、および図２２を参照すると、同軸シリンジスプレーアッセンブリ１０の残部の組み立てが、説明されることとなる。中央チューブ１８は、本体アダプター２０の環状の凹部１２２に第２のチューブ端部９２を挿入することによって、本体アダプター２０と結合される。第２のチューブ端部９２は、接着剤などのような任意の適切な様式で、本体アダプター２０に固定されることが可能である。中央チューブ１８が本体アダプター２０に固定された状態で、本体アダプター２０は、第１の外側本体部端部２４を通して外側本体部１２のハウジング３２の中へ挿入される。例えば、図４に示されているように、本体アダプター２０のアダプターフランジ１０８は、第２の外側本体部端部２６において、第２の外側本体部端部２６のレッジ２９２の上に着座させられる。したがって、本体アダプター２０の大部分は、外側本体部１２内から外へ出て延在する。本体アダプター２０は、超音波溶接などのような任意の適切な様式で、第２の外側本体部端部２６に固定される。
【００３３】
[0059]外側プランジャー１４は、中央チューブ１８を覆って外側本体部１２の中へ挿入され、中央チューブ１８が、プランジャー孔６８内に着座させられるようになっている。外側本体部１２内に挿入される前に、シリンジ潤滑剤が、外側プランジャー１４に適用され、同軸シリンジスプレーアッセンブリ１０の長手方向軸線Ａに沿う外側プランジャー１４の移動を支援することが可能である。次に、内側プランジャー１６が、中央チューブ１８のチューブ孔９８の中へ挿入され、したがって、内側プランジャーシャフト８４も、外側プランジャー１４のプランジャー孔６８の中にある。内側プランジャー１６の内側ヘッド８０が、外側プランジャー１４の外側ヘッド凹部６０の中に着座させられ、適切な接着剤を用いるなどして、その中に固定される。中央チューブ１８内に挿入される前に、適切なシリンジ潤滑剤が、内側プランジャー１６に適用され、中央チューブ１８内の長手方向軸線Ａに沿う内側プランジャー１６の移動を促進させることが可能である。内側プランジャー１６および外側プランジャー１４は一緒に固定されるので、長手方向軸線Ａに沿って連動して移動する。
【００３４】
[0060]例えば、図４に示されているように、ハウジング３２は、一般的に、外側受容部またはチャンバー２９６と、内側受容部またはチャンバー２９８とに分割されており、内側受容部２９８は、外側受容部２９６と同軸に整合している。外側受容部２９６は、内側側壁部３０と、中央チューブ１８の外側チューブ表面９４との間にある。内側受容部２９８は、中央チューブ１８の内側チューブ表面９６によって画定されている。内側受容部２９８は、中央チューブ１８のチューブ孔９８と同様である。内側プランジャーシャフト８４および内側プランジャー先端部８２は、長手方向軸線Ａに沿って、内側受容部２９８の中を滑動可能に移動可能である。外側プランジャーシャフト５４および外側プランジャー先端部５２は、長手方向軸線Ａに沿って、外側受容部２９６の中に着座させられる。
【００３５】
[0061]例えば、図４に示されているように、スプレー先端部アッセンブリ２２は、スプレー先端部インサート１５２のねじ部２８２と、本体アダプター２０の雌ねじ部１１２との間の協働によって、本体アダプター２０に装着される。雄ルアーロックフィッティング１１４が、スプレー先端部インサート１５２の内側受容部２７８の中に着座させられ、スプレー先端部アッセンブリ２２を本体アダプター２０にさらに固定する。雄ルアーロックフィッティング１１４は、第２の端部１０４に至るまでは延在しておらず、したがって、クリアランス２９４が、雄ルアーロックフィッティング１１４と、インサート受容部２７８の中に位置付けられた第１の表面２５４の部分との間に画定される。
【００３６】
[0062]例えば、図４、図２３、および図２４を特に参照すると、本体アダプター２０の中心孔１２０は、内側受容部２９８に流体的に連携している。したがって、外側本体部１２の第２の外側本体部端部２６に向かって長手方向軸線Ａに沿って内側プランジャー１６を作動させることによって、例えば、適切な血液凝固血清３５０などのような材料を、内側受容部２９８内から本体アダプター２０の中心孔１２０を通してクリアランス２９４の中へ排出させることとなる。クリアランス２９４から、凝固血清３５０が、中央開口部２６４を通って出口部ポート１７２の第１の円筒形状の直径部分１７４の中へ通過することとなり、第１の円筒形状の直径部分１７４において、内側受容部２９８からの凝固血清３５０が、外側受容部２９６からの、血液３５２などのような材料と混合され、混合物３５４を含むかたまりを提供する。
【００３７】
[0063]外側本体部１２の第２の外側本体部端部２６に向かって長手方向軸線Ａに沿って外側プランジャー１４を作動させることによって、血液３５２などのような材料を、外側受容部２９６から、４つの本体開口部１２４Ａ−Ｄのそれぞれを通して、インサートステム２５２と本体アダプター２０の内側壁部１１０との間のスプレー先端部アッセンブリ２２の収集領域３０２の中へ排出させることとなる。ステムフランジ２８０の第１の凹部２８４および第２の凹部２８６は、ステムフランジ２８０を通る血液３５２の通過を促進させる。収集領域３０２から、外側受容部２９６からの血液３５２は、インサートベース２５０の第１の外側開口部２６２Ａおよび第２の外側開口部２６２Ｂを通過し、第１の流体チャンバー２０２Ａおよび第２の流体チャンバー２０２Ｂのそれぞれの中へ進む。外側受容部２９６からの血液３５２は、出口部ポート１７２の第１の円筒形状の直径部分１７４に進行し、そこで、内側受容部２９８からの凝固血清３５０と混合される。第１の流体チャンバー２０２Ａおよび第２の流体チャンバー２０２Ｂのそれぞれ第１の部分２０４Ａおよび第１の部分２０４Ｂの対向する配置に起因して、外側受容部２９６からの血液３５２が、出口部ポート１７２の中で、その中に着座させられているボス２６６の周りを旋回し、渦をもたらし、内側受容部２９８からの凝固血清３５０とほとんど瞬間的に混合し、らせん流パターンを有する凝固誘発混合物３５４を形成させる。このほとんど瞬間的な混合は、混合血液３５２と凝固血清３５０とを混合するときに有利であるが、その理由は、凝固血清３５０がほとんど瞬間的に血液３５２の血小板を活性化させて、創傷治癒を誘発するからである。
【００３８】
[0064]次いで、凝固誘発混合物３５４は、出口部ポート１７２から出て、テーパー付きの部分１７６および第２の円筒形状の直径部分１７４、ならびに円錐形部分１８０を通過し、第２の円筒形状の直径部分１７４が、混合物３５４の圧力を集中および上昇させ、円錐形部分１８０が、混合物３５４をミストとして排出させる。混合物３５４は、任意の適切な創傷部位に適用され、凝固および治癒を誘発させることが可能である。本明細書では、凝固血清３５０と血液３５２とを混合するために使用されるものとして、同軸シリンジスプレーアッセンブリ１０が説明されているが、混合されることが望まれる任意の適切な材料が、外側受容部２９６および内側受容部２９８の中へ挿入され、本明細書で説明されているように混合されることが可能である。
【００３９】
[0065]先述の実施形態の説明は、図解および説明の目的のために提供されてきた。それは、網羅的であること、または、開示を限定することは意図していない。特定の実施形態の個々のエレメントまたは特徴は、一般的に、その特定の実施形態に限定されず、適用可能な場合には交換可能であり、たとえ具体的には示されていなくても、または説明されていなくても、選択される実施形態に使用されることが可能である。また、それは、多くの方式で変化させられることも可能である。そのような変形例は、本開示から逸脱するものとして認識されず、すべてのそのような修正例は、本開示の範囲内に含まれるということが意図されている。
【図１】
0006022566.tif 000002
【図２】
0006022566.tif 000003
【図３】
0006022566.tif 000004
【図４】
0006022566.tif 000005
【図５】
0006022566.tif 000006
【図６】
0006022566.tif 000007
【図７】
0006022566.tif 000008
【図８】
0006022566.tif 000009
【図９】
0006022566.tif 000010
【図１０】
0006022566.tif 000011
【図１１】
0006022566.tif 000012
【図１２】
0006022566.tif 000013
【図１３】
0006022566.tif 000014
【図１４】
0006022566.tif 000015
【図１５】
0006022566.tif 000016
【図１６】
0006022566.tif 000017
【図１７】
0006022566.tif 000018
【図１８】
0006022566.tif 000019
【図１９】
0006022566.tif 000020
【図２０】
0006022566.tif 000021
【図２１】
0006022566.tif 000022
【図２２】
0006022566.tif 000023
【図２３】
0006022566.tif 000024
【図２４】
0006022566.tif 000025